(57)【要約】【課題】現地での施工を簡単に行うことができ、しかも保守点検を容易に行うことができるとともに、安全性が高く、しかも経済的にも有利なものとする。【解決手段】需要家の敷地に植設された電柱に電力会社の配電系統より高圧線を引き込み、この高圧線より高圧電力を受電して前記需要家の負荷に低圧電力を供給する変圧器等の高圧受電機器を備えた屋外配電盤を設置するベースブロックにおいて、全体が長方形状に形成されたベースブロック本体１の一辺側から電柱３０を挟み込むように挿入可能な切欠穴２と、この切欠孔２の後方位置に配電盤の設置面より小さな開口面を有し、配電盤内の高圧受電機器との配線接続を行うための貫通穴３と、切欠穴２と貫通穴３との間を連通させ且つ電柱３０より引き込まれた高圧線に接続される高圧ケーブル３４及び配電盤より引き出された低圧ケーブル３５を挿通させるためのリード孔５とをそれぞれ設ける。【選択図】      図２
2005110405.tif 000002
【特許請求の範囲】
【請求項１】
需要家の敷地に植設された電柱に電力会社の配電系統より高圧線を引き込み、この高圧線より高圧電力を受電して前記需要家の負荷に低圧電力を供給する変圧器等の高圧受電機器を備えた屋外配電盤を設置するベースブロックにおいて、
全体が長方形状に形成されたベースブロック本体の一辺側から前記電柱を挟み込むように挿入可能な切欠穴と、この切欠孔の後方位置に前記配電盤の設置面より小さな開口面を有し、前記配電盤内の高圧受電機器との配線接続を行うための貫通穴と、前記切欠穴と前記貫通穴との間を連通させ且つ前記電柱より引き込まれた高圧線に接続される高圧ケーブル及び前記配電盤より引き出された低圧ケーブルを挿通させるためのリード孔とをそれぞれ設けたことを特徴とする配電盤用ベースブロック。
【請求項２】
請求項１記載の配電盤用ベースブロックにおいて、前記切欠穴と前記貫通穴との間を連通するリード孔は、前記電柱を挟む切欠穴の対向する両側面から前記貫通穴に抜ける位置に設けられたことを特徴とする配電用ベースブロック。
【請求項３】
請求項１又は請求項２記載の配電盤用ベースブロックにおいて、前記ベースブロック本体に設けられた前記切欠穴の開口端部に前記電柱を押え付ける押え具を固定するための切込段差部が形成されていることを特徴とする配電盤用ベースブロック。
【請求項４】
請求項１乃至請求項３のいずれかに記載の配電盤用ベースブロックにおいて、前記ベースブロック本体は、需要家の敷地内の所定箇所に設置され、隅部に設けられたボルト挿入孔を通してアンカーボルトを打ち込んで固定されることを特徴とする配電盤用ベースブロック。
【請求項５】
請求項１記載の配電盤用ベースブロックを用いた配電盤の設置方法において、
前記ベースブロック本体をその切欠穴に電柱を挟み込むように移動させて所定の位置に設置するステップと、
前記電柱より引き込まれた高圧線に接続される高圧ケーブル及び配電盤より引き出される低圧ケーブルを切欠穴よりリード孔を通して貫通穴側に導出するステップと、
前記ベースブロック本体の貫通穴に対応させて配電盤を設置し、盤内に備えられている変圧器などの高圧受電機器とリード孔を通して貫通穴側に導出された高圧ケーブル及び低圧ケーブルとを接続するステップと、
からなる配電盤用ベースブロックを用いた配電盤の設置方法。
【発明の詳細な説明】
【技術分野】
【０００１】
本発明は、コンビニ等の店舗の敷地に設置される屋外配電盤のベースブロック及びこのブロックを用いた配電盤の設置方法に関する。
【背景技術】
【０００２】
最近、コンビニ等の店舗では、２４時間営業に相俟って照明はもとより冷暖房設備や冷蔵庫、冷凍庫等の負荷に対する電力需要の増加に伴い、電力会社から供給される低圧での受電から、電力料金が大幅に低減される高圧受電に切替える傾向がある。
【０００３】
ところで、高圧受電に切替える場合には、屋外配電盤の設置が義務付けられているが、店舗の敷地内に屋外配電盤を設置するにあたっては、施工が簡単で、安全且つ保守点検が容易に行い得ることが必要である。
【０００４】
従来、屋外配電盤としては、店舗の敷地に植設された電柱に隣接させて基礎コンクリートを打ち込み、その上に配電盤を設置するとともに、電力会社の配電系統より電柱に引き込まれた高圧線より配電盤内の変圧器等の各高圧受電機器に配線し、この高圧受電機器を通して得られる低圧の電力を店舗内の各負荷に供給する地上設置型が一般的である。
【０００５】
しかし、このように配電盤を店舗の敷地内に設置するには、敷地の設置箇所を掘り下げて整地した後、コンクリートを打ち込んで基礎を形成し、その上に配電盤を設置して固定するようにしているため、その基礎工事に多大な労力と時間がかかるばかりでなく、敷地の掘り下げに伴って出土された土砂などの運搬費用が余分にかかり、経済的に不利である。
【０００６】
最近では、店舗の敷地に植設された電柱上に配電盤を装架し、電力会社の配電系統より電柱に引き込まれた高圧線より配電盤内の変圧器等の各高圧受電機器に配線し、この高圧受電機器を通して得られる低圧の電力を店舗内の各負荷に供給する柱上設置型も見受けられる。
【０００７】
このような柱上設置型の配電盤とすれば、基礎工事が不要となり、その分費用が安価になるが、配電盤自体をできるだけ耐震構造を考慮して小形軽量化しなければならないため、使用される高圧受電機器の重量が制限されるとともに、保守点検を行う場合には配電盤を柱上から下すか、作業員が柱上に上って作業を行わなければならず、作業性が悪いばかりでなく、安全性の面でも難点がある。
【発明の開示】
【発明が解決しようとする課題】
【０００８】
このように従来の地上設置型の配電盤では、現場での基礎工事に多大な時間と労力がかかるとともに、出土した土砂を所定の場所に運搬しなければならないため、余分な費用がかかるという問題があり、また柱上設置型の配電盤では、耐震構造を考慮して小形軽量化を図る必要があると同時に、保守点検時の作業性及び安全性の点で難点がある。
【０００９】
本発明は、上記のような問題を解消し、地上設置型でありながら現場での基礎工事に要する時間や労力が殆どかからず、施工が簡単で、且つ保守点検が容易に行い得る安全性の高い経済的に有利な配電盤用ベースブロック及びこのブロックを用いた配電盤の設置方法を提供することを目的とする。
【課題を解決するための手段】
【００１０】
本発明は上記の目的を達成するため、次のような手段により配電盤用ベースブロックを構成し、このベースブロックを用いて次のような方法で配電盤を設置するものである。
【００１１】
請求項１に対応する発明は、需要家の敷地に植設された電柱に電力会社の配電系統より高圧線を引き込み、この高圧線より高圧電力を受電して前記需要家の負荷に低圧電力を供給する変圧器等の高圧受電機器を備えた屋外配電盤を設置するベースブロックにおいて、全体が長方形状に形成されたベースブロック本体の一辺側から前記電柱を挟み込むように挿入可能な切欠穴と、この切欠孔の後方位置に前記配電盤の設置面より小さな開口面を有し、前記配電盤内の高圧受電機器との配線接続を行うための貫通穴と、前記切欠穴と前記貫通穴との間を連通させ且つ前記電柱より引き込まれた高圧線に接続される高圧ケーブル及び前記配電盤より引き出された低圧ケーブルを挿通させるためのリード孔とをそれぞれ設ける。
【００１２】
請求項２に対応する発明は、請求項１に対応する発明の配電盤用ベースブロックにおいて、前記切欠穴と前記貫通穴との間を連通するリード孔は、前記電柱を挟む切欠穴の対向する両側面から前記貫通穴に抜ける位置に設けられる。
【００１３】
請求項３に対応する発明は、請求項１又は請求項２に対応する発明の配電盤用ベースブロックにおいて、前記ベースブロック本体に設けられた前記切欠穴の開口端部に前記電柱を押え付ける押え具を固定するための切込段差部が形成される。
【００１４】
請求項４に対応する発明は、請求項１乃至請求項３のいずれかに対応する発明の配電盤用ベースブロックにおいて、前記ベースブロック本体は、需要家の敷地内の所定箇所に設置され、隅部に設けられたボルト挿入孔を通してアンカーボルトを打ち込んで固定される。
【００１５】
請求項５に対応する発明は、請求項１に対応する発明の配電盤用ベースブロックを用いた配電盤の設置方法において、前記ベースブロック本体をその切欠穴に電柱を挟み込むように移動させて所定の位置に設置するステップと、前記電柱より引き込まれた高圧線に接続される高圧ケーブル及び配電盤より引き出される低圧ケーブルを切欠穴よりリード孔を通して貫通穴側に導出するステップと、前記ベースブロック本体の貫通穴に対応させて配電盤を設置し、盤内に備えられている変圧器などの高圧受電機器とリード孔を通して貫通穴側に導出された高圧ケーブル及び低圧ケーブルとを接続するステップとからなる。
【発明の効果】
【００１６】
本発明によれば、現地での施工を簡単に行うことができ、しかも保守点検を容易に行うことができるとともに、安全性が高く、しかも経済的にも有利なものとなる。
【発明を実施するための最良の形態】
【００１７】
以下本発明の実施形態について図面を参照しながら説明する。
【００１８】
図１はコンビニなどの店舗の敷地に本発明による配電盤用ベースブロックを用いて配電盤を設置した状態を示す構成図である。
【００１９】
図１において、１００はコンビニなどの店舗であり、この店舗１００の敷地内の所定箇所に電力会社の配電系統より高圧線を引き込むための電柱３０を植設し、この電柱３０の上部に支線３１の一端を結合し、この支線３１の他端を支線ガード３２とともに地中に埋設することで、電柱３０が支持される。
【００２０】
この電柱３０の頭頂部には、電力会社側の配電系統より引き込まれた高圧線に接続される高圧気中開閉器３３が装着されている。
【００２１】
一方、２０は高圧気中開閉器３３を通して供給される高圧電力を受電して店舗内の各負荷に低圧電力を供給する高圧受電用の配電盤２０で、この配電盤２０は次のような構成のベースブロック１０上に設置する。
【００２２】
図２及び図３は上記ベースブロック１０の構成例を示すもので、図２は平面図であり、図３は図２のＸ−Ｘ線に沿う矢視断面図である。
【００２３】
図２及び図３において、１は例えば短辺（縦）が１200mm、長辺（横）が1600mm、厚み（高さ）が400mmの長方形状のベースブロック本体で、このベースブロック本体1にはその一方の短辺側から上記電柱３０を挟み込むように挿入可能なＵ字形の切欠穴２及びこの切欠穴２より後方位置に上記配電盤２０の設置面より小さな開口面の貫通穴３がそれぞれ設けられている。
【００２４】
また、切欠穴２の対向する両側面部に高圧及び低圧のケーブルを通す溝４とこの溝４から貫通穴３に抜けるリード孔５が設けられ、さらに切欠穴２の開口端部には押えブロックを固定するための切込段差部６が形成されている。
【００２５】
さらに、ベースブロック本体１の切欠穴２側とは反対側の隅部には厚み方向に抜けるボルト挿入孔７が設けられている。
【００２６】
このような構成のベースブロック本体１は、予め工場などで一体成形されて現地に運搬されるものである。
【００２７】
次にかかる実施形態のベースブロック本体１を用いて配電盤２０を設置する施工方法について図１乃至図３により説明する。
【００２８】
まず、店舗１００の敷地内の所定箇所に電柱３０を植設し、この電柱３０を支線３１及び支線ガード３２により支持する。この場合、電柱３０には頭頂部に装着されている高圧気中開閉器３３に接続された高圧ケーブル３４と、配電盤２０側から引き出される低圧ケーブル３５が電柱に支持された状態で引き出されている。
【００２９】
次に電柱３０の周囲の地面を平坦にならした後、ベースブロック本体１をそのＵ字形の切欠穴２に電柱３０を挟み込むように移動させて所定の位置に設置するとともに、ボルト挿入孔７を通してアンカーボルトを打ち込んでベースブロック本体１全体を固定する。そして、高圧ケーブル３４と低圧ケーブル３５を切欠穴２の両側面部に有する溝４よりリード孔５を通して貫通穴３側に導出する。
【００３０】
その後、ベースブロック本体１の貫通穴３に対応させて配電盤２０を設置し、盤内に備えられている変圧器などの高圧受電機器とリード孔５を通して貫通穴３側に導出された高圧ケーブル３４及び低圧ケーブル３５とを接続する。
【００３１】
最後に、ベースブロック本体１の切欠穴２に押え具として図４（ａ），（ｂ）に示すようにフランジ部を有する押えブロック８を挿入するとともに、フランジ部を切欠穴２の開口端部に有する切込段差部６にボルトにより固定する。また、配電盤２０より電柱３０上に引き出された低圧ケーブル３５を店舗内の各負荷に低圧電力が供給可能に配線接続する。
【００３２】
このように本実施形態では、電柱３０を挟み込むように挿入可能な切欠穴２及び配電盤２０を設置した後の盤内の高圧受電機器との配線接続を行うための貫通穴３を設けたベースブロック本体１を予め工場などで一体成形し、これを現地に搬送して店舗の敷地内の所定箇所に設置し、このベースブロック本体１に配電盤２０を設置するようにしたので、現地での基礎工事が不要となり、施工が簡単且つ短時間で行うことができる。
【００３３】
また、ベースブロック本体１の切欠穴２内に電柱３０が挟み込まれるように配置するようにしたので、ベースブロック本体１の設置面に電柱３０を植設することができるので、敷地面積の有効利用を図ることが可能である。
【００３４】
さらに、ベースブロック本体１上に配電盤２０を設置した後、配電系統の高圧線に高圧気中開閉器３３を介して接続される高圧ケーブル３４及び店舗内の各負荷に低圧電力を供給する低圧ケーブル３５を切欠穴２よりスリット孔５を通して貫通穴３に導入し、配電盤内の高圧受電機器との配線接続を行うようにしたので、新設時はもとより保守点検時の作業を簡単且つ容易に行うことができる。
【００３５】
また、柱上設置型とは異なり、地上設置型の場合には課電部が外部に露出していると危険であるが、高圧ケーブル３４及び低圧ケーブル３５は配電盤２０の裏側の電柱３０よりベースブロック本体１内部のスリット孔５を挿通させているので、安全性が高く、しかも高圧ケーブル３４及び低圧ケーブル３５は電柱３０を挟んで１８０度異なる位置に配設されているので、絶縁距離も十分確保することができる。
【００３６】
一方、ベースブロック本体１の切欠穴２内に位置する電柱３０の背部には押えブロック８を挿入するとともに、フランジ部を切欠穴２の開口端部に有する切込段差部６にボルトにより固定するようにしたので、電柱３０の支持に対する補強を行うことができるとともに、基礎面としての見栄えもよい。
【００３７】
上記実施形態では、電柱３０の支持補強を図４（ａ），（ｂ）に示す押えブロック８により電柱３０の支持補強を行うようにしたが、図５（ａ），（ｂ）に示すようにベースブロック本体１の切欠穴２の開口端側を電柱挿入穴部より大きくし、この開口端側より電柱の周面に沿って湾曲させた押え板９を段差部にボルトにより固定するようにしてもよい。
【図面の簡単な説明】
【００３８】
【図１】店舗の敷地に本発明による配電盤用ベースブロックを用いて配電盤を設置した状態を示す構成図。
【図２】本発明による配電盤用ベースブロックの実施形態を示す平面図。
【図３】図２のＸ−Ｘ線に沿う矢視断面図。
【図４】同実施形態における押え具の一例を示し、（ａ）は平面図、（ｂ）は（ａ）のＡ矢視図。
【図５】同実施形態における押え具の他の例を示し、（ａ）は平面図、（ｂ）は（ａ）のＢ矢視図。
【符号の説明】
【００３９】
１…ベースブロック本体、２…切欠穴、３…貫通穴、４…溝、５…リード孔、６…切込段差部、７…ボルト挿入孔、８…押えブロック、９…押え板、１０…ベースブロック、２０…配電盤、３０…電柱、３１…支線、３２…支線ガード、３３…高圧気中開閉器、３４…高圧ケーブル、３５…低圧ケーブル、１００…コンビニなどの店舗。
【図１】
2005110405.tif 000003
【図２】
2005110405.tif 000004
【図３】
2005110405.tif 000005
【図４】
2005110405.tif 000006
【図５】
2005110405.tif 000007